(57)【要約】【課題】複数のアクセサリを簡単に結合して使用できるカメラ等のアクセサリ装置を提供する。【解決手段】カメラ１はＣＰＵ、本体操作部、充電部、電池、レンズ、撮像部、画像表示部、メモリカード、画像処理部、ビデオ回路部、ＩＦ部、及びカメラ接続部１２を備えている。第１のアクセサリのスタンド装置２２はカメラ収容部、スタンド本体２３のスタンド接続部２８、ＵＳＢコネクタ３１、ＤＣ電源コネクタ３２、ビデオアウト端子３３、及び第２のスタンド接続部５２を備えている。第２のアクセサリのＨＤ装置５５は内部にＨＤ−ＣＰＵ６５とＨＤ６６、側面外部にＤＣ電源コネクタ５７とＵＳＢコネクタ５８、上面後端に回動蓋５９、ＨＤ接続部６３を備えている。カメラ１と接続したスタンド装置２２をＨＤ装置６６に接第２のスタンド接続部５２続するときは回動蓋５９が回動して直立しスタンド装置２２のＵＳＢコネクタ３１とＤＣ電源コネクタ３２を遮蔽すると共にＨＤ接続部６３を第２のスタンド接続部５２と接続可能な位置に露出させる。【選択図】      図１２
2005323261.tif 000002
【特許請求の範囲】
【請求項１】
携帯用の電子機器と電気的に接続されるアクセサリ装置において、
前記アクセサリ装置は、
前記電子機器を収納する収納部と少なくとも前記電子機器に給電を行う給電部を有する第１のアクセサリと、
前記第１のアクセサリに結合され前記電子機器に係る拡張的な機能を有する第２のアクセサリと、
を有し、
前記第１及び第２のアクセサリには、それぞれ前記電子機器に外部からの電力を入力するための電力入力部が設けられ、
前記第１のアクセサリに前記第２のアクセサリが結合された状態では、前記第１又は前記第２のいずれか一方のアクセサリの電力入力部の使用を禁止する禁止手段が設けられている、
ことを特徴とするアクセサリ装置。
【請求項２】
前記第１のアクセサリと前記第２のアクセサリを電気的に接続するための接続部と、
該接続部による接続を前記禁止手段による動作に連動して許可する許可手段と、
を備えたことを特徴とする請求項１記載のアクセサリ装置。
【請求項３】
前記第２のアクセサリは、
前記第１のアクセサリの電力入力部の端子を遮蔽する遮蔽部材と、
前記禁止手段として前記遮蔽部材を、前記許可手段として前記接続部をそれぞれ回動させる回動部を有し、
前記第１のアクセサリとの非結合時には、前記遮蔽部材が前記第２のアクセサリの筐体面に形成された開口を遮蔽しかつ前記接続部が前記開口内部に位置し、
前記第１のアクセサリとの結合時には、前記遮蔽部材が前記第１のアクセサリの前記電力入力部の端子を遮蔽しかつ前記接続部が接続可能な位置に位置する、
ことを特徴とする請求項２記載のアクセサリ装置。
【請求項４】
前記第２のアクセサリは、本体上面に前記第１のアクセサリを載置可能な扁平な外形形状を備えている、ことを特徴とする請求項１、２又は３記載のアクセサリ装置。
【請求項５】
前記第１のアクセサリに収納される電子機器は、カメラである、ことを特徴とする請求項１、２、３又は４記載のアクセサリ装置。
【請求項６】
前記第１及び第２のアクセサリには、それぞれ前記電子機器と外部間で信号を通信するための信号入出力端子が設けられ、
前記第１のアクセサリとの結合時には、前記遮蔽部材が前記第１のアクセサリの前記電力入力部の端子とともに前記第１のアクセサリの前記信号入出力端子を遮蔽する
ことを特徴とする請求項２記載のアクセサリ装置。
【請求項７】
前記第２のアクセサリは、カメラの画像データを記録する大容量記録媒体装置を有する、ことを特徴とする請求項５記載のアクセサリ装置。
【請求項８】
携帯用の電子機器と電気的に接続されるアクセサリにおいて、
前記電子機器への給電用電力を外部から入力するための端子を有し、前記電子機器を収納し該電子機器への給電用電力を外部から入力するための入力端子が設けられた充電装置に結合された際に、該充電装置の入力端子を遮蔽する遮蔽部材を備えた、
ことを特徴とするアクセサリ。
【発明の詳細な説明】
【技術分野】
【０００１】
本発明は、携帯用の電子機器の機能を拡張させるためのアクセサリ装置に関する。
【背景技術】
【０００２】
従来、例えばデジタルカメラのような携帯用の電子機器は、そのサイズやコストに制限があるため、必須な機能以外の付帯的又は拡張的な機能は電子機器には内蔵されない場合が多い。そして、そのような場合は、上記のような付帯的又は拡張的な機能を有する外部装置が用意され、この外部装置が上記電子機器のアクセサリ装置として標準添付又は別売によってユーザに提供される。
【０００３】
例えば、デジタルカメラを載置し、載置されたデジタルカメラを充電するための充電機能やデジタルカメラの画像データを蓄積するハードディスク等を内蔵したアクセサリ装置が提案されている。（例えば、特許文献１参照）。
また、デジタルカメラを収納し、上記のような機能に加えて更にプリンタを内蔵した装置も提案されている。（例えば、特許文献２参照）。
【特許文献１】特開２０００−３１２３２５号公報（［要約］、図２、図３）
【特許文献２】特開平Ｏ６−３５１０１２号公報（［要約］、図１）
【発明の開示】
【発明が解決しようとする課題】
【０００４】
ところで、電子機器に対する色々な拡張機能がまとめて盛り込まれたアクセサリ装置は、搭載される拡張機能が多くなるに比例して、装置サイズが大きくなり、且つコストも高くなる。例えば充電のみというような単機能のみで十分なユーザにとっては不要な機能が多くかえって使い勝手が悪くなるから、そのうえコストが高いのでは、そのようなアクセサリ装置を購入しなければならないことはユーザには歓迎されない。
【０００５】
そこで、アクセサリ装置の拡張機能を機能毎に物理的に分けて単体のアクセサリとして提供すれば、ユーザは必要に応じて、その都度アクセサリを選択・購入して使用することができるようになって便利である。
ところが、アクセサリ装置が機能ごとに単体のアクセサリとなってばらばらになると、アクセサリを単独で使用するときはさほど問題はないが、例えば充電アクセサリとデータ通信アクセサリを同時に利用したい場合には、複数のアクセサリを結合して使用することになるが、従来のようにアクセサリ間をワイヤで接続する形式では、その相互接続が複雑になってしまうという問題がある。
【０００６】
本発明の課題は、上記従来の実情に鑑み、複数のアクセサリを簡単に結合して使用できる例えばデジタルカメラ、カメラ付き携帯電話、カメラ付きＰＤＡ等の電子機器のアクセサリ装置を提供することである。
【課題を解決するための手段】
【０００７】
先ず、第１の発明のアクセサリ装置は、携帯用の電子機器と電気的に接続されるアクセサリ装置において、上記アクセサリ装置は、上記電子機器を収納する収納部と少なくとも上記電子機器に給電を行う給電部を有する第１のアクセサリと、上記第１のアクセサリに結合され上記電子機器に係る拡張的な機能を有する第２のアクセサリと、を有し、上記第１及び第２のアクセサリには、それぞれ上記電子機器に外部からの電力を入力するための電力入力部が設けられ、上記第１のアクセサリに上記第２のアクセサリが結合された状態では、上記第１のアクセサリの電力入力部の使用を禁止する禁止手段が設けられているように構成される。
【０００８】
このアクセサリ装置は、例えば上記第１のアクセサリと上記第２のアクセサリを電気的に接続するための接続部と、該接続部による接続を上記禁止手段による禁止動作に連動して許可する許可手段と、を更に備えて構成される。
また、このアクセサリ装置は、例えば上記禁止手段及び上記許可手段は上記第２のアクセサリの回動部に設けられ、該回動部は、上記第１のアクセサリとの非結合時に上記第２のアクセサリの筐体面に形成された開口を遮蔽し、結合時に上記第１のアクセサリの電力入力部の端子を遮蔽する遮蔽部材を有し、さらに上記接続部を第２のアクセサリの非結合時に上記開口の内部に位置させ、結合時に接続可能な位置に移動させるように構成される。
【０００９】
そして、上記第２のアクセサリは、例えば本体上面に上記第１のアクセサリを載置可能な扁平な外形形状を備えているのが好ましい。
また、上記第１のアクセサリに収納される電子機器は、カメラであってもよい。この場合、上記第２のアクセサリは、例えばカメラの画像データを記録する大容量記録媒体装置を有するものであってもよい。
【００１０】
また、このアクセサリ装置は、上記第１のアクセサリの上記電力入力部並びに上記第１及び第２のアクセサリの上記接続部は少なくともＤＣ電源入力端子及びＵＳＢ入力端子を含み、上記遮蔽部材は、上記第１のアクセサリの上記電力入力部を遮蔽することに連動して上記第２のアクセサリの上記接続部を開放し、上記第１のアクセサリの上記電力入力部を開放することに連動して上記第２のアクセサリの上記接続部を遮蔽するように構成される。
【００１１】
次に、第２の発明のアクセサリは、携帯用の電子機器と電気的に接続されるアクセサリにおいて、上記電子機器への給電用電力を外部から入力するための端子を有し、上記電子機器を収納し該電子機器への給電用電力を外部から入力するための入力端子が設けられた充電装置に結合された際に、該充電装置の入力端子を遮蔽する遮蔽部材を備えて構成される。
【発明の効果】
【００１２】
本発明においては、アクセサリ同士の接続によって、その接続されたアクセサリのいずれにも備えられている外部装置との接続部のいずれか一方を接続禁止にする禁止動作も連動されるので、接続と禁止のそれぞれを別々に行う必要がなくなり簡単で便利である。
【発明を実施するための最良の形態】
【００１３】
以下、本発明の実施の形態を図面を参照しながら説明する。
【実施例１】
【００１４】
図１(a) は、実施例１としてのカメラの正面図であり、同図(b) は、その接続部が設けられている方の側面図、同図(c) は上面図である。尚、同図(a),(b),(c) は、カメラの表示装置が閉成位置に畳まれているときのカメラの全体図である。また、同図(a),(b),(c) に示すカメラは、電子機器の一例としてデジタルカメラを取り上げて示している。また、以下の説明では、同図(a) に示すＸ方向をカメラの幅方向、Ｙ方向をカメラの厚さ方向、Ｚ方向をカメラの高さ方向として説明する。
【００１５】
同図(a),(b),(c) に示すように、カメラ１は、カメラ本体２の正面の図の左側ほぼ１／３（幅方向の寸法で）に把持部３が形成され、把持部３の上部にはセルフタイマ用報知窓４が設けられている。またカメラ本体２の右側ほぼ２／３を、表示装置５がその背面をカメラ正面方向に見せて覆っており、その表示装置５の上部にはカメラの種々の状態を点灯又は点滅報知するための報知光透過窓６が設けられ、表示装置５の下部にダブルヒンジ７が取り付けられている。また、同図(c) に示すように、カメラ本体２の表示装置５に対向する背面には、本体側端部側に段差部２−１が形成されている。
【００１６】
カメラ１の上面には、セルフタイマ用報知窓４の上方に当たる位置に、ズームレバー８とシャッタボタン９が配置され、その右方にリモコン用受光部１１が配設されている。同図(b) に示すように、カメラ１にはカメラ接続部１２が設けられている。このカメラ接続部１２のカメラ１の高さ方向における位置は、カメラ１の高さ方向の中心（１／２ｈ）に位置するように配置されている。これにより、カメラ１の天地を逆にしても、カメラ接続部１２の高さ位置は変わることがない。
【００１７】
図２(a),(b),(c) は、カメラの表示装置が下位置に回動しているときのカメラの全体図であり、同図(a) は正面図、同図(b) は接続部が設けられている方の側面図、同図(c) は上面図である。
図２(a) に示すように、表示装置５がダブルヒンジ７を支点にして下方位置に回動すると、カメラ本体２の開成された前面上部左側（カメラ全体としてはほぼ中央）に撮影レンズ窓１３、上部右端にストロボ窓１４、その下にマイク１５が、それぞれ現われる。また、表示装置５がその表示面５−１を前面に向けて配置される。表示装置５は液晶表示装置から成り、表示面５−１は液晶表示面である。
【００１８】
表示装置５の表示面５−１の右下方には電源ボタン１６が設けられている。尚、報知光透過窓６は、図１(a) のように表示装置５が畳まれているときでも図２(a) のように開かれているときでも報知光を外部に放散する。すなわち、表示装置５の表裏両面方向に報知光を放散する。
【００１９】
尚、この図２(a),(b),(c) に示す表示装置５の開成位置でのカメラ１の使用方法は、カメラ１の使用者が自分で自分の居る方向を撮影するような場合に、表示装置５の表示面５−１をモニタとして見ながら用いられる方法である。
図３(a) は、上記の表示装置５を下位置から更にカメラ１の裏側に回り込むように回動させて表示装置５の背面をカメラ本体２の裏面に当接させた状態を示す図であり、同図(b) はその使用状態を示す図である。尚、同図(a),(b) は、このカメラ１の本来の使用方法を示している。また、図３(a),(b) には図１(a),(b),(c) 及び図２(a),(b),(c) と同一の構成部分には図１(a),(b),(c) 及び図２(a),(b),(c) と同一の番号を付与して示している。
【００２０】
図３(a) に示すように、カメラ１の使用に当たって表示装置５をカメラ１の裏側に回り込ませてカメラ１の背面のほぼ２／３を覆い隠すように表示面５−１をカメラ１の背面に配置したとき、カメラ１の背面の残る１／３の面に、モードダイヤル１７、十字ボタン１８、その他の操作ボタン１９（１９−１、１９−２、１９−３）が配設されており、表示装置５の表示面５−１に表示される表示画面を見ながら、種々の操作を行うことができるようになっている。
【００２１】
そして、撮影時には、図３(b) に示すように、把持部３を手に持って、表示面５−１に映し出される映像を確認しながらシャッタボタン９を押して撮影を行うことが出来る。また、同図(b) に示すように表示装置５をカメラ１の裏側にまで回り込ませると、図１に示す携帯時の配置から裏返ったダブルヒンジ７の裏面に形成されている三脚用ネジ穴２１が下方に向けて外部に露出するようになっている。これにより、図３(a),(b) に示す状態で、三脚を用いて撮影を行うこともできる。
【実施例２】
【００２２】
図４(a) は、実施例２における上記カメラ１に対する第１のアクセサリとしてのスタンド装置の上面図であり、同図(b),(c) は正面図、同図(d) は背面図、同図(e) は側面図である。同図(a) 〜(e) に示すように、スタンド装置２２は、スタンド本体２３と収納部２４とから成る。
収納部２４は、カメラ１を載置する載置面２５と、この載置面２５の対向する２方の縁部から立設された側壁２６とで形成されている。側壁２６は載置面２５に載置されるカメラ１の高さ方向の２方の側面を保護し且つ位置決めする。
【００２３】
スタンド本体２３は、上記収納部２４の後方の側壁を形成する平面部２３−１を有し、この平面部２３−１とほぼ同一面上に回動面２７−１を形成されている円筒形状の回動部２７を平面部２３−１の中央に備えている。
回動部２７は、円筒形状の端面を回動面２７−１とし、この回動面２７−１が、カメラ１が収納部２４に収納されたときカメラ接続部１２に対向するように、スタンド本体２３に配置されている。また、回動部２７は、円筒形状の周面を操作部としてその一部をスタンド本体２３の上部に露出するように配置されている。
【００２４】
そして、この回動部２７の回動面２７−１には、カメラ１のカメラ接続部１２と電気的に接続するためのスタンド接続部２８が突設されている。このスタンド接続部２８は、少なくともカメラ１に給電を行う給電端子を備えるように構成され、本例では、更にＵＳＢ出力端子とビデオイン端子が備えられている。また、このスタンド接続部２８は、回動部２７の回動面２７−１の回動中心から半径方向にややずれた位置に設けられている。
【００２５】
これにより、収納部２４に収納されたカメラ１の表向き又は裏返しの向きに応じて収納部２４内での位置が異なるカメラ１のカメラ接続部１２に対応して、使用者の操作による回動部２７の同図(d) の両方向矢印ａで示す１８０°方向の回動により、同図(b) 又は同図(c) に示すように２つの位置に置き換わる。すなわち、同図(b) に示す位置又は同図(c) に示す位置の２つの位置を一方の位置から他方の位置に変位する。
【００２６】
また、回動部２７の回動面２７−１には、スタンド接続部２８の近傍に板状の接続禁止部材２９が設けられている。接続禁止部材２９は、スタンド接続部２８よりも突出するように設けられている。これにより、詳しくは後述するように、スタンド接続部２８の位置がカメラ接続部１２の位置に対応しない位置に在るとき、スタンド接続部２８とカメラ接続部１２との接続を禁止するようになっている。
【００２７】
また、スタンド本体２３の背面には、中央部に広く周囲より一段へこんだ凹部２３−２が形成されており、この凹部２３−２に、カメラと外部間で信号を通信するためのＵＳＢコネクタ３１とＤＣ電源コネクタ３２が配設されている。また、凹部２３−２の両側の凸面のうち同図(d) では下方にくる凸面にはビデオアウト端子３３が配設されている。これらのコネクタ及び端子は、それぞれ上記のスタンド接続部２８の端子構成に対応しており、特には図示しないが内部配線によって電気的に接続されている。
【００２８】
このスタンド本体２３の背面の凹部２３−２の両側の凸面には両側から収納部２４の側壁２６の屈曲した側壁延長部２６−１が回り込むように係合しており、ビデオアウト端子３３が配設されている凸面に係合する側壁延長部２６−１にはビデオアウト端子用開口２６−１−１が形成されている。
【００２９】
図５(a) は、上記の収納部２４のみを単体で示す斜視図であり、同図(b) は、その収納部２４とスタンド本体２３が着脱自在に合体した状態を示す斜視図である。同図(a),(b) には、図４(a) 〜(e) に示した構成と同一の構成部分には図４(a) 〜(e) と同一の番号を付与して示している。図５(a),(b) に示すように、本例のスタンド装置２２は、収納部２４とスタンド本体２３とが相互に着脱自在である。
【００３０】
これにより、スタンド装置２２にカメラ１とは外形形状の異なる種類のカメラを装着するときは、収納部２４のみを交換して容易に対処することができる。
【実施例３】
【００３１】
図６(a) 〜(d) は、実施例３としてのスタンド装置２２にカメラ１を装着する方法が２通りあることを説明する図である。尚、同図(a) 〜(d) には、スタンド装置２２背面の図４(d) に示したＤＣ電源コネクタ３２に接続されているＤＣプラグ及びＤＣ電源線や、必要に応じてＵＳＢコネクタ３１に接続されるＵＳＢオス型コネクタとその延長コードなどの図示を省略している。
【００３２】
図７(a),(b) は、スタンド装置２２に装着されたカメラ１に対する接続禁止部材２９の位置を示したものである。この図７(a),(b) は、図６(b),(d) において、接続部を中心としたカメラ幅方向の断面を、図(b),(d) の手前方向から見た図である。
図６(a) は、図３(a),(b) に示した状態のカメラ１を表示装置５の表示面５−１を上に向けて寝かせた状態を示しており、図６(b) はスタンド装置２２の回動部２７を回動させて、スタンド接続部２８と接続禁止部材２９との位置関係を図４(b) に示す位置に変位させた状態を示している。
【００３３】
この状態で、スタンド装置２２の収納部２４に対し、カメラ１を図６の矢印ｂで示すように移動させて、図６(b) に破線で示すようにカメラ１をスタンド装置２２に装着すると、図７(a) のように接続禁止部材２９の先端が、カメラ本体２の段差部２−１に入り込むと共に、スタンド接続部２８がカメラ接続部１２に連結される。
【００３４】
このようにカメラ１を裏向きにスタンド装置２２に装着すると、ＤＣ電源コネクタ３２を介してＤＣ電源から充電を受けている最中でも、表示装置５の表示面５−１の表示画面を見ながら、モードダイヤル１７や十字ボタン１８あるいはその他の操作ボタン１９（図３(a) 参照）を操作して、種々の処理を行うことができる。
【００３５】
また、図６(c) は、図１(a),(b),(c) に示した状態のカメラ１を正面を上に向けて寝かせた状態を示している。他方、図６(d) に示すスタンド装置２２は、その回動部２７を回動させて、スタンド接続部２８と接続禁止部材２９との位置関係を図４(c) に示す位置に変位させた状態を示している。
【００３６】
この状態で、スタンド装置２２の収納部２４に対し、カメラ１を図６の矢印ｃで示すように移動させて、図６(d) に破線で示すようにカメラ１をスタンド装置２２に装着すると、図７(b) のように接続禁止部材２９の先端が、この場合もカメラ本体２の段差部２−１に入り込むと共に、スタンド接続部２８がカメラ接続部１２に連結される。
【００３７】
このように、スタンド装置２２の収納部２４に対するカメラ１の装着姿勢を表裏いずれを上に向けても、つまり図１(b) においてカメラ１の天地を逆にしても、カメラ接続部１２のカメラ１に対する高さ位置は変わることがないから、カメラ接続部１２と、スタンド装置２２の収納部２４の背部壁面を形成する平面部２３−１の中央に配置されている回動部２７の回動面２７−１との対応関係に異動はない。
【００３８】
したがって、回動部２７を１８０°回動させて、その回動面２７−１に配置されているスタンド接続部２８を、図４(b) に示す位置と図４(c) に示す位置とのいずれかに変位させるだけで、装着姿勢が表裏いずれかに変化したカメラ１のカメラ接続部１２に容易に対応することができる。
【００３９】
そして、もし、カメラ１の装着姿勢とスタンド装置２２の回動部２７のスタンド接続部２８との関係が、図６(a) と同図(d) の状態であると、カメラ１をスタンド装置２２に装着しようとしても、接続禁止部材２９が、図７(a) でハッチングで示した位置２９−ｂにくるので、スタンド接続部２８がカメラ接続部１２に連結される前に接続禁止部材２９がカメラ本体部２の段差部２−１が形成されていない側面に衝突するため、それ以上カメラ１をスタンド装置２２に押し込むことができない。これにより、スタンド接続部２８とカメラ接続部１２との誤った接続が禁止される。
【００４０】
同様に、もし、カメラ１の装着姿勢とスタンド装置２２の回動部２７のスタンド接続部２８との関係が、図６(c) と同図(b) の状態であると、カメラ１をスタンド装置２２に装着しようとしても、接続禁止部材２９が、図７(b) でハッチングで示した位置２９−ｃにくるので、この場合もスタンド接続部２８がカメラ接続部１２に連結される前に接続禁止部材２９がカメラ本体部２の段差部２−１が形成されていない側面に衝突するため、それ以上カメラ１をスタンド装置２２に押し込むことができない。したがって、この場合もスタンド接続部２８とカメラ接続部１２との誤った接続が禁止される。
【００４１】
このようにカメラ１をスタンド装置２２に表向きに装着すると、ＤＣ電源コネクタ３２を介してＤＣ電源から充電を受けている最中に、誤って他の物がカメラ１の上に落下したり当接したりしても表示装置５の表示面５−１を損傷させる虞がないので、充電状態のまま安心して外出などすることができる。
【００４２】
図８は、カメラ１がスタンド装置２２に正しく装着されたときのカメラシステム全体のブロック図である。同図に示すように、先ず、カメラ１は、本体操作部３４と、この本体操作部３４に接続するＣ−ＣＰＵ（カメラＣＰＵ(central-processing-unit））３５と、このＣ−ＣＰＵ３５の信号入出力ポートにバス３６を介して接続された撮像部３７、画像表示部３８、メモリカード３９、画像処理部４１、及びＩＦ（インターフェース）部４２を備えている。
【００４３】
Ｃ−ＣＰＵ３５は、不図示のプログラムメモリを内蔵し、そのプログラムメモリに格納されているプログラムにしたがって、本体操作部３４を介してカメラ使用者から入力される指示命令を受けてカメラ１全体を制御する。
上記の画像表示部３８、メモリカード３９、及び画像処理部４１は、バス３６を介して相互にデータの入力又は出力が可能なように構成されている。また、撮像部３７には撮像素子４３が接続され、画像処理部４１には画像信号をＮＴＳＣ等のテレビ信号に変換するビデオ回路部４４が接続されている。
【００４４】
上記の撮像素子４３にはレンズ４５により撮影された映像が結像する。撮像素子４３は、撮像部３７により駆動制御され、上記結像の各画素ごとの光量を電気信号に変換して画像処理部４１に出力する。画像処理部４１は、撮像素子４３から入力する電気信号を増幅し、アナログ／デジタル変換を行い、その増幅とデジタル変換を行った画像データをメモリカード３９に出力する。
【００４５】
画像表示部３８は、表示装置５の表示を駆動制御し、液晶表示装置に撮影画像や操作メニューなどを表示する。
上記のＩＦ部４２にはカメラ接続部１２、スタンド装置２２のスタンド接続部２８、及びスタンド本体２３のＵＳＢコネクタ３１を介して、外部の例えばＰＣ（パーソナルコンピュータ）４６等が接続される。これにより、カメラ１のメモリカード３９に記憶されている撮影済み画像データをＰＣ４６に送信してＰＣ４６に記憶させ、またＰＣ４６の表示装置で画像を表示させることができる。また、ＰＣ４６に既に記憶されている撮影画像を呼び出して確認することもできる。
【００４６】
また、ビデオ回路部４４には、カメラ接続部１２、スタンド装置２２のスタンド接続部２８、及びスタンド本体２３のビデオアウト端子３３を介して、例えばＴＶ（テレビ）４７が接続される。これにより、カメラ１で撮影した画像をＴＶ４７の大型画面に表示させて見ることができる。
【００４７】
本体操作部３４は、図１乃至図３に示したように、各種の入力ボタンやスイッチを備え、これらの入力ボタンやスイッチを介して外部（カメラ使用者）から入力されるイベント情報を制御部に通知する回路である。充電部４８の出力部には内蔵の電池４９が接続され、充電部４８の入力部には、カメラ接続部１２、スタンド装置２２のスタンド接続部２８、及びスタンド本体２３のＤＣ電源コネクタ３２を介してＡＣ／ＤＣコンバータ５１の出力側コネクタが接続される。ＡＣ／ＤＣコンバータ５１の入力側コネクタは例えば宅内商用電源コネクタに接続される。これにより、電池４９が充電される。
【００４８】
ところで、図４乃至図６では図示しなかったが、スタンド装置２２の本体部２３には、上記のスタンド接続部２８を第１の接続部として、更に第２のスタンド接続部５２が設けられている。この第２のスタンド接続部５２は、外部配線を介さずに他のアクセサリのコネクタに直接電気的に接続するためのものである。以下、これについて説明する。
【００４９】
図９は、図６(b) に破線付きで示したようにカメラ１とスタンド装置２２が一体となって図８に示すカメラシステムを構成している状態の側面図である。尚、図９には、図１乃至図６で示した構成と同一の構成部分において、図１乃至図６と比較して分かり易い構成部分に図１乃至図６に示した番号と同一の番号を付与して示している。
【００５０】
図９は、図の左方がスタンド装置２２の前方になり、図の右方がスタンド装置２２の後方になる。そのスタンド装置２２の後方下部に、図８に示した第２のスタンド接続部５２が下向きに設けられている。
【実施例４】
【００５１】
図１０(a) は、実施例４における上記カメラ１に対する拡張機能を持った第２のアクセサリとしてのハードディスク装置の斜視図であり、同図(b) は、同図(a) の矢印ｄ方向に見た断面図、同図(c) は、同図(b) の回動部を閉じた状態を示す図である。
尚、同図(b),(c) には、いずれも図示を省略しているが、ハードディスク装置５５の内部には、カメラ１の画像データを記録する大容量記録媒体装置としてのハードディスク及びその駆動装置等が装備されている。
【００５２】
同図(a) に示すように、ハードディスク装置５５は、本体筐体５６の一方の側面（同図(a) の斜め右手前側面）に、ＤＣ電源コネクタ５７とＵＳＢコネクタ５８を備えている。ＤＣ電源コネクタ５７は、内部のハードディスクへの電力供給をするとともに、後述するようにスタンド装置２２を介して連結されるカメラ１に外部からの電力を入力するための電力入力部であり、ＵＳＢコネクタ５８は、同じくカメラ１が連結されたとき、カメラ１からスタンド装置２２を介して入力される各種のカメラ出力信号やハードディスクのデータをＰＣ４６等に出力する信号出力部である。
【００５３】
また、ハードディスク装置５５は、本体筐体５６の後端（同図(a) の斜め右上方向端部）上面に、遮蔽部材としての回動蓋５９を備えている。回動蓋５９は、同図(b),(c) に示すように、ヒンジ６１を支点にして、本体筐体５６に対して直立位置と前方に倒れる水平位置とに９０°の角度で回動する。この回動蓋５９には接続部支持部材６２が一体に形成されており、この接続部支持部材６２にハードディスク接続部６３が一体になって配置されている。
【００５４】
これにより、回動蓋５９が直立位置に回動することに連動してハードディスク装置５５のハードディスク接続部６３が外部に開放され、回動蓋５９が水平位置に回動することに連動してハードディスク接続部６３が外部から遮蔽される。
また、このハードディスク装置５５は、本体筐体５６の上面にスタンド装置２２を載置可能なように、扁平な外形形状を備えている。
【００５５】
図１１は、上記の図１０(a),(b) のように回動蓋５９が直立位置に回動してハードディスク接続部６３が外部に開放された状態のハードディスク装置５５の扁平な外形形状の本体筐体５６上に、スタンド装置２２が載置されて、図では陰になって見えないが、第２のスタンド接続部５２とハードディスク接続部６３とが接続された状態を示す図である。
【００５６】
図１１に示すように、ハードディスク装置５５の本体筐体５６の後部側面５６−１には回動蓋５９の配置部近傍に回動蓋開放ボタン６４が配設されている。この回動蓋開放ボタン６４を使用者が押すことによって、回動蓋５９が図１０(c) に示す水平位置から図１０(b) に示す直立位置に立設し、使用者が直立位置の回動蓋５９を押し倒すことによって、回動蓋５９は水平位置に復帰する。
【００５７】
図１１に示すように、スタンド装置２２をハードディスク装置５５の本体筐体５６上に載置・装着すると、図５(b) に示したようにスタンド装置２２のスタンド本体２３の背面の凹部２３−２に配設されているＤＣ電源コネクタ３２とＵＳＢコネクタ３１とが、直立した回動蓋５９によって外部から遮蔽される。
【００５８】
これにより、使用者は、外部とのＤＣ電源接続とＵＳＢ接続とを、スタンド装置２２によって行うことを禁止され、誤ることなく一義的にハードディスク装置５５の図１０(a) に示したＤＣ電源コネクタ５７とＵＳＢコネクタ５８によって行うことになる。したがって、ＤＣ電源が２つ接続されて回路が破壊されるおそれや、ＵＳＢが２つ接続されてエラーが発生するおそれが確実に防止できる。このように上記の回動蓋５９は遮蔽部材である共にスタンド装置２２の外部とのＤＣ電源接続とＵＳＢ接続とを禁止する禁止手段としても機能している。
【００５９】
また、回動蓋５９は、上記のように直立してスタンド装置２２の外部とのＤＣ電源接続とＵＳＢ接続とを禁止することに連動して図１０(a),(b) に示したようにハードディスク接続部６３を外部との接続が可能なように開放するので、ハードディスク接続部６３の外部との接続を許可する許可手段としても機能している。
【００６０】
このように、回動蓋５９は、第１のアクセサリとしてのスタンド装置２２の電力入力部を遮蔽することに連動して、第２のアクセサリとしてのハードディスク装置５５の接続部を開放し、スタンド装置２２の電力入力部を開放することに連動してハードディスク装置５５の接続部を遮蔽するように動作する。
【００６１】
図１２は、図１１に示すように合体したハードディスク装置５５とスタンド装置２２とからなるアクセサリ装置において、図６(b) 又は図６(d) に破線と実線で示すようにカメラ１がスタンド装置２２に正しく装着されたときのカメラ・アクセサリシステムのブロック図である。
【００６２】
図１２において、カメラ１及びスタンド装置２２の構成は、図７の場合と同様である。ただし本例では、ＵＳＢコネクタ３１とＤＣ電源コネクタ３２が回動蓋５９によって外部から遮蔽され、図７に示したＰＣ４６とＡＣ／ＤＣコンバータ５１との接続をそれぞれ禁止されている。しかし、これに代わってハードディスク装置５５のＵＳＢコネクタ５８とＤＣ電源コネクタ５７が使用可能となり、ＰＣ４６とＡＣ／ＤＣコンバータ５１がそれぞれ接続されている。
【００６３】
図１２に示すように、ハードディスク装置５５には、ＨＤ−ＣＰＵ（ハードディスクＣＰＵ）６５と、このＨＤ−ＣＰＵ６５の制御の下に動作するハードディスク６６が備えられている。このハードディスク６６には、前述したようにカメラ１からの画像データが記録され蓄積される。
【００６４】
このカメラ・アクセサリシステムにおいて、全ての電源は、ＡＣ／ＤＣコンバータ５１からハードディスク装置５５のＤＣ電源コネクタ５７を介して供給され、カメラ１からシステム外部への全ての信号は、ハードディスク装置５５のＵＳＢコネクタ５８を介して例えばＰＣ４６へ出力される。スタンド装置２２からカメラ１への充電は、図７の場合と同様に行われる。
【００６５】
このように、複雑は外部配線無しで、２つのアクセサリにカメラを接続して、様々な処理を行うことができる。
尚、上記の実施例５では、回動蓋５９をハードディスク装置側に取り付けているが、これに限ることなく、スタンド装置２２側に取り付けるようにしてもよい。すなわち、スタンド装置２２の第２のスタンド接続部５２の構成と、ハードディスク装置５５の回動蓋５９とこの回動蓋５９と一体なハードディスク接続部６３の構成とを、入れ替えても、上述したと同様の作用・効果を得ることができる。また、本実施例では、第２のアクセサリとしてハードディスク装置にて説明をしてきたが、これに限られるものではなく、例えば第２のアクセサリを画像通信装置で構成しても当然良い。
【図面の簡単な説明】
【００６６】
【図１】(a) は実施例１としてのカメラの正面図、(b) はその接続部が設けられている方の側面図、(c) は上面図である。
【図２】カメラの表示装置が下位置に回動しているときのカメラの全体図であり、(a) は正面図、(b) は接続部が設けられている方の側面図、(c) は上面図である。
【図３】(a) は表示装置を下位置からカメラの裏側に回り込むように回動させて表示装置の背面をカメラ本体の裏面に当接させた状態を示す図、(b) はその使用状態を示す図である。
【図４】(a) は実施例２としてのカメラスタンド装置の上面図、(b),(c) は正面図、(d) は背面図、(e) は側面図である。
【図５】(a) はカメラスタンド装置の収納部のみを単体で示す斜視図、(b) は収納部とスタンド本体が着脱自在に合体した状態を示す斜視図である。
【図６】(a) 〜(d) は実施例３としてのカメラスタンド装置にカメラを装着する方法が２通りあることを説明する図である。
【図７】(a),(b) はスタンド装置に装着されたカメラに対する接続禁止部材の位置を示す図である。
【図８】カメラがカメラスタンド装置に正しく装着されたときのカメラシステムのブロック図である。
【図９】カメラとスタンド装置が一体となってカメラシステムを構成している状態の側面図である。
【図１０】(a) は実施例５におけるカメラに対する拡張機能を持った第２のアクセサリとしてのハードディスク装置の斜視図、(b) は(a) の矢印ｄ方向に見た断面図、(c) は(b) の回動部を閉じた状態を示す図である。
【図１１】回動蓋の直立位置への回動によってハードディスク接続部が開放されたハードディスク装置の上にスタンド装置が載置された状態を示す図である。
【図１２】合体したハードディスク装置とスタンド装置とからなるアクセサリ装置においてカメラがスタンド装置に正しく装着されたときのカメラ・アクセサリシステムのブロック図である。
【符号の説明】
【００６７】
１      カメラ
２      カメラ本体
２−１  段差部
３      把持部
４      セルフタイマ用報知窓
５      表示装置（液晶表示装置）
５−１  表示面
６      報知光透過窓
７      ダブルヒンジ
８      ズームレバー
９      シャッタボタン
１１    リモコン用受光部
１２    カメラ接続部
１３    撮影レンズ窓
１４    ストロボ窓
１５    マイク
１６    電源ボタン
１７    モードダイヤル
１８    十字ボタン
１９（１９−１、１９−２、１９−３）  他の操作ボタン
２１    三脚用ネジ穴
２２    スタンド装置
２３    スタンド本体
２３−１  平面部
２３−２  凹部
２４    収納部
２５    載置面
２６    側壁
２６−１  側壁延長部
２６−１−１  ビデオアウト端子用開口
２７    回動部
２７−１  回動面
２８    スタンド接続部
２９    接続禁止部材
３１    ＵＳＢコネクタ
３２    ＤＣ電源コネクタ
３３    ビデオアウト端子
３４    本体操作部
３５    Ｃ−ＣＰＵ（カメラＣＰＵ(central-processing-unit））
３６    バス
３７    撮像部
３８    画像表示部
３９    メモリカード
４１    画像処理部
４２    ＩＦ（インターフェース）部
４３    撮像素子
４４    ビデオ回路部
４５    レンズ
４６    ＰＣ（パーソナルコンピュータ）
４７    ＴＶ（テレビ）
４８    充電部
４９    電池
５１    ＡＣ／ＤＣコンバータ
５２    第２のスタンド接続部
５５    ハードディスク装置
５６    本体筐体
５７    ＤＣ電源コネクタ
５８    ＵＳＢコネクタ
５９    回動蓋
６１    ヒンジ
６２    接続部支持部材
６３    ハードディスク接続部
６４    回動蓋開放ボタン
【図１】
2005323261.tif 000003
【図２】
2005323261.tif 000004
【図３】
2005323261.tif 000005
【図４】
2005323261.tif 000006
【図５】
2005323261.tif 000007
【図６】
2005323261.tif 000008
【図７】
2005323261.tif 000009
【図８】
2005323261.tif 000010
【図９】
2005323261.tif 000011
【図１０】
2005323261.tif 000012
【図１１】
2005323261.tif 000013
【図１２】
2005323261.tif 000014